(57)【要約】【課題】ユーザが筐体を前後方向に回動させる際に、筐体と台座部材との間に形成される隙間に指を挟んでしまうのを抑制することが可能な表示装置を提供する。【解決手段】この液晶テレビジョン装置（表示装置）１００では、表示部２が設けられるキャビネット１と、台座部材３とを備え、キャビネット１および台座部材３の一方はリブ部１３ｂを有し、キャビネット１および台座部材３の他方はリブ部１３ｂが嵌まり込むように形成された凹部３１を有し、キャビネット１は、キャビネット１の底部１ｃよりも上方に設けられた回動中心Ｃを中心として台座部材３に対して前後方向に回動可能に構成されている。また、キャビネット１の前後方向の回動範囲内において、リブ部１３ｂと凹部３１とによりキャビネット１と台座部材３との間に形成される水平方向の隙間が実質的に塞ぐように構成されている。【選択図】図１０
2009265218.tif 000002
【特許請求の範囲】
【請求項１】
表示部が設けられる筐体と、
台座部材とを備え、
前記筐体および前記台座部材の一方は凸部を有し、
前記筐体および前記台座部材の他方は前記凸部が嵌まり込むように形成された凹部を有し、
前記筐体は、前記筐体の底部よりも上方に設けられた回動中心を中心として前記台座部材に対して前後方向に回動可能に構成され、
前記筐体の前後方向の回動範囲内において、前記凸部と前記凹部とにより前記筐体と前記台座部材との間に形成される水平方向の隙間が実質的に塞ぐように構成されている、表示装置。
【請求項２】
前記筐体を前記台座部材の前面側に前記台座部材に対して回動可能に支持する支持部材をさらに備え、
前記筐体の前傾時には、前記凸部は前記凹部に嵌まり込むことにより、前記筐体と前記台座部材との間に形成される水平方向の隙間が塞がれるように構成され、
前記筐体の後傾時には、前記凸部の先端部は前記凹部の前記凸部側の下縁部近傍に位置することにより、前記筐体と前記台座部材との間に形成される水平方向の隙間が実質的に塞がれるように構成されている、請求項１に記載の表示装置。
【請求項３】
前記凸部は、前記筐体に一体的に設けられ、前記台座部材側に突出する第１リブ部を含み、
前記凹部は、前記筐体の第１リブ部が嵌まり込むように前記台座部材に設けられており、
前記筐体の前傾時には、前記筐体の前後方向の回動範囲内において、前記第１リブ部は前記凹部の第１リブ部に対応する部分に嵌まり込むことにより、前記筐体と前記台座部材との間に形成される水平方向の隙間が塞がれるように構成され、
前記筐体の後傾時には、前記筐体の前後方向の回動範囲内において、前記第１リブ部の先端部が前記凹部の第１リブ部側の下縁部近傍に位置することにより、前記筐体と前記台座部材との間に形成される水平方向の隙間が実質的に塞がれるように構成されている、請求項１または２に記載の表示装置。
【請求項４】
前記筐体の第１リブ部は、前記筐体の底部近傍に円弧形状に形成され、
前記台座部材の凹部の第１リブ部に対応する下面部分は、円弧形状に形成されている、請求項３に記載の表示装置。
【請求項５】
前記第１リブ部と前記凹部の第１リブ部に対応する下面部分とは、前記筐体の前後方向の回動範囲内において、接触しないように構成されている、請求項３または４に記載の表示装置。
【請求項６】
前記凸部は、前記筐体に一体的に設けられ、前記第１リブ部に対して垂直方向に突出する第２リブ部をさらに含み、
前記第２リブ部は、前記筐体の前後方向の回動範囲内において前記凹部の側方に形成される隙間を塞ぐように構成されている、請求項３〜５のいずれか１項に記載の表示装置。
【発明の詳細な説明】
【技術分野】
【０００１】
この発明は、表示装置に関し、特に、前後方向に回動可能な表示装置に関する。
【背景技術】
【０００２】
従来、前後方向に回動可能な液晶テレビジョン装置などの表示装置が知られている。（たとえば、特許文献１〜３参照）。
【０００３】
上記特許文献１に記載の液晶表示装置（表示装置）では、液晶パネル（筐体）と、スタンド部（台座部材）と、アーム（支持部材）とを備えた液晶表示装置（表示装置）が開示されている。上記特許文献１に開示された液晶表示装置（表示装置）では、アーム（支持部材）は液晶パネル（筐体）を支持するとともに脚部（台座部材）の上面上に設けられている。また、液晶パネル（筐体）は、アーム（支持部材）の下端部近傍を回動中心として前後方向に回動可能に構成されている。
【０００４】
また、上記特許文献２に記載の液晶テレビジョン受像機（表示装置）では、テレビジョン受像機本体（筐体）と、脚部（台座部材）と、ヒンジ部（支持部材）とを備えた液晶テレビジョン受像機（表示装置）が開示されている。上記特許文献２に開示された液晶テレビジョン受像機（表示装置）では、ヒンジ部（支持部材）はテレビジョン受像機本体（筐体）の底部近傍を支持するとともに脚部（台座部材）の上面上に設けられている。また、テレビジョン受像機本体（筐体）は、ヒンジ部（支持部材）を回動中心として前後方向に回動可能に構成されている。
【０００５】
また、上記特許文献３に記載の液晶表示装置（表示装置）では、キャビネット（筐体）と、スタンド側ブラケット（台座部材）と、回転軸（支持部材）とを備えた液晶表示装置（表示装置）が開示されている。上記特許文献３に開示された液晶表示装置（表示装置）では、回転軸（支持部材）はキャビネット（筐体）を支持するとともにスタンド側ブラケット（台座部材）の上面上に設けられている。また、キャビネット（筐体）は、回転軸（支持部材）を回動中心として前後方向に回動可能に構成されている。
【０００６】
【特許文献１】特開２００６−６４７８６号公報
【特許文献２】特開２００５−１２８４７１号公報
【特許文献３】実用新案登録第３１０６１８３号公報
【発明の開示】
【発明が解決しようとする課題】
【０００７】
しかしながら、上記特許文献１に記載の液晶表示装置（表示装置）では、液晶パネル（筐体）をスタンド部（台座部材）に対して後方向に回動させた際に、液晶パネル（筐体）の下端部近傍の後面とスタンド部（台座部材）の前面との間に隙間が形成されるという不都合がある。この状態から、ユーザが液晶パネル（筐体）の下端部近傍の後面を把持して前方向に回動させようとした場合には、液晶パネル（筐体）の下端部近傍の後面とスタンド部（台座部材）の前面との間に形成された隙間に指を挟んでしまう場合があるという問題点があると考えられる。
【０００８】
また、上記特許文献２に記載の液晶テレビジョン受像機（表示装置）では、テレビジョン受像機本体（筐体）を脚部（台座部材）に対して後方向に回動させた際に、テレビジョン受像機本体（筐体）の下端部近傍の後面と脚部（台座部材）の前面との間に隙間が形成されるという不都合がある。この状態から、ユーザがテレビジョン受像機本体（筐体）の下端部近傍の後面を把持して前方向に回動させようとした場合には、テレビジョン受像機本体（筐体）の下端部近傍の後面と脚部（台座部材）の前面との間に形成された隙間に指を挟んでしまう場合があるという問題点があると考えられる。
【０００９】
また、上記特許文献３に記載の液晶表示装置（表示装置）では、キャビネット（筐体）をスタンド側ブラケット（台座部材）に対して後方向に回動させた際に、キャビネット（筐体）の下端部および下端部近傍の後面とスタンド側ブラケット（台座部材）の前面との間に隙間が形成されるという不都合がある。この状態から、ユーザがキャビネット（筐体）の下端部近傍の後面を把持して前方向に回動させようとした場合には、キャビネット（筐体）の下端部近傍の後面とスタンド側ブラケット（台座部材）の前面との間に形成された隙間に指を挟んでしまう場合があるという問題点があると考えられる。
【００１０】
この発明は、上記のような課題を解決するためになされたものであり、この発明の１つの目的は、ユーザが筐体を前後方向に回動させる際に、筐体と台座部材との間に形成される隙間に指を挟んでしまうのを抑制することが可能な表示装置を提供することである。
【課題を解決するための手段および発明の効果】
【００１１】
この発明の一の局面による表示装置は、表示部が設けられる筐体と、台座部材とを備え、筐体および台座部材の一方は凸部を有し、筐体および台座部材の他方は凸部が嵌まり込むように形成された凹部を有し、筐体は、筐体の底部よりも上方に設けられた回動中心を中心として台座部材に対して前後方向に回動可能に構成され、筐体の前後方向の回動範囲内において、凸部と凹部とにより筐体と台座部材との間に形成される水平方向の隙間が実質的に塞ぐように構成されている。
【００１２】
この一の局面による表示装置では、上記のように、筐体の前後方向の回動範囲内において、凸部と凹部とにより筐体と台座部材との間に形成される水平方向の隙間を実質的に塞ぐように構成することによって、筐体の底部よりも上方に筐体の回動中心が位置する場合にも、ユーザが筐体を台座部材に対して前後方向に回動させる際に、筐体の下端部近傍の内側面と台座部材の前面との間に実質的に隙間が形成されなくなる。これにより、筐体の下端部近傍の内側面と台座部材の前面との間にユーザの指が誤って入ることがないので、筐体を台座部材に対して前後方向に回動させる際に、筐体と台座部材との間に形成される隙間に指を挟んでしまうのを抑制することができる。
【００１３】
上記一の局面による表示装置において、好ましくは、筐体を台座部材の前面側に台座部材に対して回動可能に支持する支持部材をさらに備え、筐体の前傾時には、凸部は凹部に嵌まり込むことにより、筐体と台座部材との間に形成される水平方向の隙間が塞がれるように構成され、筐体の後傾時には、凸部の先端部は凹部の凸部側の下縁部近傍に位置することにより、筐体と台座部材との間に形成される水平方向の隙間が実質的に塞がれるように構成されている。このように構成すれば、筐体の底部よりも上方に筐体の回動中心が位置する場合にも、ユーザが筐体を台座部材に対して後方向に回動させた際に、筐体の下端部近傍の内側面と台座部材の前面との間に実質的に隙間が形成されるのを容易に抑制することができる。
【００１４】
上記一の局面による表示装置おいて、好ましくは、凸部は、筐体に一体的に設けられ、台座部材側に突出する第１リブ部を含み、凹部は、筐体の第１リブ部が嵌まり込むように台座部材に設けられており、筐体の前傾時には、筐体の前後方向の回動範囲内において、第１リブ部は凹部の第１リブ部に対応する部分に嵌まり込むことにより、筐体と台座部材との間に形成される水平方向の隙間が塞がれるように構成され、筐体の後傾時には、筐体の前後方向の回動範囲内において、第１リブ部の先端部が凹部の第１リブ部側の下縁部近傍に位置することにより、筐体と台座部材との間に形成される水平方向の隙間が実質的に塞がれるように構成されている。このように構成すれば、筐体の底部よりも上方に筐体の回動中心が位置する場合にも、ユーザが筐体を台座部材に対して後方向に回動させた際に、第１リブ部の先端部と凹部の第１リブ部側の下縁部近傍との間に隙間が形成されるのを容易に抑制することができる。
【００１５】
この場合において、好ましくは、筐体の第１リブ部は、筐体の底部近傍に円弧形状に形成され、台座部材の凹部の第１リブ部に対応する下面部分は、円弧形状に形成されている。このように構成すれば、筐体を台座部材に対して回動させた際に、第１リブ部と凹部の第１リブ部に対応する下面部分とが所定の間隔を隔てた状態で、第１リブ部を凹部の第１リブ部に対応する下面部分に対して滑らかに回動させることができる。
【００１６】
上記第１リブ部を含む表示装置において、好ましくは、第１リブ部と凹部の第１リブ部に対応する下面部分とは、筐体の前後方向の回動範囲内において、接触しないように構成されている。このように構成すれば、第１リブ部と凹部の第１リブ部に対応する部分とが接触している場合に比べ、第１リブ部と凹部の第１リブ部に対応する下面部分との間に摩擦抵抗が発生するのを抑制することができるので、第１リブ部を凹部の第１リブ部に対応する部分に対して滑らかに回動させることができる。
【００１７】
上記第１リブ部を含む表示装置において、好ましくは、凸部は、筐体に一体的に設けられ、第１リブ部に対して垂直方向に突出する第２リブ部をさらに含み、第２リブ部は、筐体の前後方向の回動範囲内において凹部の側方に形成される隙間を塞ぐように構成されている。このように構成すれば、ユーザが筐体を前後方向に回動させた際に、凹部の下面部分と凸部との間のみならず、凹部の側方にも隙間が形成されなくなる。これにより、ユーザが筐体を前後方向に回動させた際に、凹部の側方に形成される隙間に指を挟んでしまうのを抑制することができる。
【発明を実施するための最良の形態】
【００１８】
以下、本発明を具体化した実施形態を図面に基づいて説明する。
【００１９】
図１は、本発明の一実施形態による液晶テレビジョン装置の全体構成を示す斜視図である。図２は、図１に示した一実施形態による液晶テレビジョン装置の全体構成を示す背面側から見た斜視図である。図３は、図１に示した一実施形態による液晶テレビジョン装置のキャビネットを取り外した場合の背面側から見た斜視図である。図４〜図１５は、図１に示した本発明の一実施形態による液晶テレビジョン装置の詳細な構成を示す図である。まず、図１〜図１５を参照して、本発明の一実施形態による液晶テレビジョン装置１００の構成について説明する。なお、液晶テレビジョン装置１００は、本発明の「表示装置」の一例である。
【００２０】
本発明の一実施形態による液晶テレビジョン装置１００は、図１に示すように、樹脂製のフロントキャビネット１ａおよびリアキャビネット１ｂから構成されるキャビネット１と、フロントキャビネット１ａおよびリアキャビネット１ｂに挟み込まれるように設けられる表示部（液晶モジュール）２と、樹脂製の台座部材３と、支持部材４（図３参照）と、台座部材３の下面側に配置される樹脂製の脚部５とから構成されている。なお、キャビネット１は、本発明の「筐体」の一例である。
【００２１】
樹脂製のフロントキャビネット１ａは、図１に示すように、四角形状を有するとともに、枠状に形成されている。また、樹脂製のリアキャビネット１ｂは、図２に示すように、四角形状を有している。また、リアキャビネット１ｂの下端部近傍には、支持部材３が取り付けられるように支持部材取付部１１２が形成されている。また、リアキャビネット１ｂの周辺部分には、ネジ取付穴１２ｂが形成されている。
【００２２】
ここで、本実施形態では、図５および図１０〜図１５に示すように、キャビネット１のリアキャビネット１ｂの背面側の底部近傍（矢印Ｚ１方向側）には、Ｚ方向に円弧形状を有するリブ部１３ｂが形成されている。なお、リブ部１３ｂは、本発明の「凸部」および「第１リブ部」の一例である。このリブ部１３ｂは、キャビネット１のリアキャビネット１ｂに一体的に設けられている。また、リブ部１３ｂは、台座部材３側（矢印Ｙ２方向側）に突出するように設けられている。
【００２３】
また、本実施形態では、図５に示すように、キャビネット１の２つのリブ部１４ｂは、キャビネット１のリアキャビネット１ｂに一体的に設けられるとともに、リブ部１３ｂに対して垂直方向（矢印Ｙ２方向側）に突出するように設けられている。なお、２つのリブ部１４ｂは、本発明の「凸部」および「第２リブ部」の一例である。また、２つのリブ部１４ｂは、リブ部１４１ｂおよびリブ部１４２ｂから構成されている。また、２つのリブ部１４１ｂおよび１４２ｂは、それぞれ、リブ部１３ｂのＸ方向の一方端部１３１ｂおよび他方端部１３２ｂと一体的に形成されている。また、リブ部１４１ｂおよび１４２ｂのＹ方向の長さＬ１は、リブ部１３ｂのＹ方向の長さＬ２よりも大きい長さを有するように形成されている。
【００２４】
表示部（液晶モジュール）２は、図３に示すように、前面側に設けられた液晶パネル２ａと、液晶パネル２ａを覆うように設けられた金属製のフレーム２ｂとを含んでいる。また、表示部２の背面側には、プリント配線基板６が設けられている。このプリント配線基板６には、液晶テレビジョン装置１００を動作させるための電子部品が実装されている。
【００２５】
また、本実施形態では、図６に示すように、樹脂製の台座部材３には、キャビネット１のリブ部１３ｂ（図５参照）が嵌まり込むように凹部３１が形成されている。この凹部３１の矢印Ｚ１方向側の面には、リブ部１３ｂに対応する下面部分３１ａが形成されている。このリブ部１３ｂに対応する下面部分３１ａは、矢印Ｚ１方向側に凸の円弧形状を有するように形成されている。また、リブ部１３ｂに対応する下面部分３１ａのＹ方向の長さＬ３は、凹部３１のＸ方向の長さＬ４よりも小さい長さを有するように形成されている。また、リブ部１３ｂに対応する下面部分３１ａのＹ方向の長さＬ３は、リアキャビネット１ｂのリブ部１３ｂのＹ方向の長さＬ２（図５参照）よりも大きい長さを有するように形成されている。また、凹部３１のＸ方向の長さＬ４は、リアキャビネット１ｂのリブ部１４１ｂとリブ部１４２ｂとの長さ（間隔）Ｌ５（図５参照）よりも小さい長さを有するように形成されている。
【００２６】
また、本実施形態では、図１０〜図１５に示すように、リブ部１３ｂの下面部１３３ｂは、台座部材３の凹部３１のリブ部１３ｂに対応する下面部分３１ａと接触しないように構成されている。このとき、リブ部１３ｂの下面部１３３ｂとリブ部１３ｂに対応する下面部分３１ａとの長さ間隔Ｌ６は、ユーザの指が入らない程度の長さ（１ｍｍ程度）であればよい。また、図６に示すように、台座部材３の上方部分の凸部３２の上面上には、円柱形状の一対の固定部材取付部３３が形成されている。この固定部材取付部３３は、凸部３２の上面上から矢印Ｚ２方向側に突出するように設けられている。また、台座部材３の下面部には、爪部３４が設けられている。この台座部材３の爪部３４は、脚部５に取り付けられるように構成されている。
【００２７】
また、支持部材４は、図７〜図９に示すように、正面（矢印Ｙ１方向側）から見て略四角形状を有するとともに、側方（Ｘ方向）から見て略Ｌ字形状を有するように形成されている。また、支持部材４には、後述する板金部材７を支持部材４を介して表示部２に取り付けるための２つのネジ挿入穴４１と、支持部材４を表示部２のフロントキャビネット１ａに取り付けるための２つのネジ挿入穴４２とが形成されている。また、ネジ８（図７参照）は、支持部材４のネジ挿入穴４２を介して、フロントキャビネット１ａに取り付けられるように構成されている。
【００２８】
また、支持部材４のＹ２方向側には、板金部材７が設けられている。この板金部材７は、正面（矢印Ｙ１方向側）から見てＵ字形状を有している。また、板金部材７には、Ｙ方向に２つのネジ挿入穴７１が形成されている。また、ネジ挿入穴７１と支持部材４のネジ挿入穴４１とは、正面（矢印Ｙ１方向側）から見て重なるように配置されている。また、板金部材７のＸ方向の端部には、板金部材７に対してＹ２方向側に突出するように２つの凸部７２が形成されている。この凸部７２には、Ｘ方向に回動軸挿入穴７２ａが形成されている。また、ネジ９（図１０〜図１５参照）は、ネジ挿入穴７１と支持部材４のネジ挿入穴４１とを介して、表示部２に取り付けられるように構成されている。
【００２９】
また、図４に示すように、板金部材７の凸部７２、皿バネ１０およびＬ字形状の取付部材１１の一方端部１１１は、シャフト１２およびナット（図示せず）により保持されている。このとき、板金部材７は、シャフト１２を回動軸として取付部材１１に対して回動可能に保持されている。また、取付部材１１の他方端部１１２は、締結部材３５により台座部材３の固定部材取付部３３に固定的に取り付けられている。また、本実施形態では、支持部材４は、図３および図４に示すように、キャビネット１を台座部材３の前面側（矢印Ｙ１方向側）に台座部材３に対してＡ方向またはＢ方向に回動可能に支持するように構成されている。具体的には、図４および図１０〜図１５に示すように、キャビネット１は、板金部材７の凸部７２の回動軸挿入穴７２ａに挿入されたシャフト１２を回動中心Ｃ（中心線Ｃ１および中心線Ｃ２が交差する中心点Ｃ）として、前後方向（Ａ方向またはＢ方向）に回動可能に構成されている。この回動中心Ｃは、図１０〜図１５に示すように、キャビネット１の底部１ｃよりも上方（矢印Ｚ１方向側）に設けられている。
【００３０】
また、本実施形態では、キャビネット１の前傾時（矢印Ａ方向側）には、図１１および図１４に示すように、キャビネット１の前傾時の回動範囲内（本実施形態では、角度α１＝２．５度）において、リブ部１３ｂは凹部３１のリブ部１３ｂに対応する下面部分３１ａに嵌まり込むことにより、キャビネット１と台座部材３との間に形成される水平方向（Ｘ方向およびＹ方向）の隙間が実質的に塞がれるように構成されている。また、本実施形態では、キャビネット１のリブ部１４ｂは、図１３に示すように、凹部３１の側方（凹部３１のＸ方向側）に形成される隙間を塞ぐように構成されている。
【００３１】
また、本実施形態では、キャビネット１の後傾時（矢印Ｂ方向側）には、図１２および図１５に示すように、キャビネット１の後傾時の回動範囲内（本実施形態では、角度α２＝約１０度）において、リブ部１３ｂは凹部３１のリブ部１３ｂに対応する下面部分３１ａの近傍に位置することにより、キャビネット１と台座部材３との間に形成される水平方向（Ｘ方向およびＹ方向）の隙間が実質的に塞がれるように構成されている。また、本実施形態では、キャビネット１のリブ部１４ｂは、図１５に示すように、凹部３１の側方（凹部３１のＸ方向側）に形成される隙間を塞ぐように構成されている。
【００３２】
次に、図１０〜図１５を参照して、本発明の一実施形態による液晶テレビジョン装置１００の回動動作を説明する。
【００３３】
まず、ユーザは、図１０および図１３に示したキャビネット１が垂直に支持されている状態からキャビネット１を矢印Ａ方向（前方向）に押圧する。その場合、キャビネット１はキャビネット１に取り付けられた支持部材４の板金部材７の回動軸挿入穴７２ａに挿入されたシャフト１２を回動中心Ｃとして、台座部材３に対して矢印Ａ方向（前方向）に回動する。そして、キャビネット１が約２．５度（角度α１）回動されると、図１１および図１４に示すように、キャビネット１の矢印Ａ方向への回動が止まる。これにより、液晶テレビジョン装置１００の表示部２は、約２．５度下向き（前傾）の状態になる。このとき、リブ部１３ｂは、凹部３１のリブ部１３ｂに対応する下面部分３１ａに嵌まり込むことにより、キャビネット１と台座部材３との間に形成される水平方向（Ｘ方向およびＹ方向）の隙間が実質的に塞がれる状態になる。また、キャビネット１のリブ部１４ｂは、図１３に示すように、凹部３１の側方（凹部３１のＸ方向側）に形成される隙間が実質的に塞がれる状態になる。これにより、凹部３１の側方（凹部３１のＸ方向側）の隙間が実質的になくなるので、ユーザの指が挟まるのを防止可能である。
【００３４】
また、ユーザが、図１０および図１３に示したキャビネット１が垂直に支持されている状態からキャビネット１を矢印Ｂ方向（後方向）に押圧する。その場合、キャビネット１はキャビネット１に取り付けられた支持部材４の板金部材７の回動軸挿入穴７２ａに挿入されたシャフト１２を回動中心Ｃとして、台座部材３に対して矢印Ｂ方向（後方向）に回動する。そして、キャビネット１が約１０度（角度α２）回動されると、図１２および図１５に示すように、キャビネット１の矢印Ｂ方向への回動が止まる。これにより、液晶テレビジョン装置１００の表示部２は、１０度上向きの状態になる。このとき、リブ部１３ｂは、凹部３１のリブ部１３ｂに対応する下面部分３１ａの近傍に位置することにより、キャビネット１と台座部材３との間に形成される水平方向（Ｘ方向およびＹ方向）の隙間が実質的に塞がれる状態になる。また、キャビネット１のリブ部１４ｂは、図１５に示すように、凹部３１の側方（凹部３１のＸ方向側）に形成される隙間が実質的に塞がれる状態になる。これにより、凹部３１の側方（凹部３１のＸ方向側）の隙間が実質的になくなるので、ユーザの指が挟まるのを防止可能である。
【００３５】
本実施形態では、上記のように、キャビネット１の前後方向（Ａ方向またはＢ方向）の回動範囲内（本実施形態では、角度α１＋角度α２＝１２．５度）において、リブ部１３ｂと凹部３１とによりキャビネット１と台座部材３との間に形成される水平方向（Ｘ方向またはＹ方向）の隙間を実質的に塞ぐように構成することによって、キャビネット１の底部よりも上方にキャビネット１の回動中心Ｃが位置する場合にも、ユーザがキャビネット１を台座部材３に対して前後方向（Ａ方向またはＢ方向）に回動させる際に、キャビネット１の下端部近傍の内側面と台座部材３の前面との間に実質的に隙間が形成されなくなる。これにより、キャビネット１の下端部近傍の内側面と台座部材３の前面との間にユーザの指が誤って入ることがないので、キャビネット１を台座部材３に対して前後方向（Ａ方向またはＢ方向）に回動させる際に、キャビネット１と台座部材３との間に形成される隙間に指を挟んでしまうのを抑制することができる。
【００３６】
また、本実施形態では、上記のように、キャビネット１の前傾時には、リブ部１３ｂを凹部３１に嵌め込むことにより、キャビネット１と台座部材３との間に形成される水平方向の隙間を塞ぐように構成し、キャビネット１の後傾時には、リブ部１３ｂの先端部を凹部３１のリブ部１３ｂ側の下縁部近傍に位置させることにより、キャビネット１と台座部材３との間に形成される水平方向（Ｘ方向またはＹ方向）の隙間を実質的に塞ぐように構成することによって、キャビネット１の底部１ｃよりも上方にキャビネット１の回動中心Ｃが位置する場合にも、ユーザがキャビネット１を台座部材３に対して後方向（Ｂ方向）に回動させた際に、キャビネット１の下端部近傍の内側面と台座部材３の前面との間に実質的に隙間が形成されるのを容易に抑制することができる。
【００３７】
また、本実施形態では、上記のように、キャビネット１の前傾時（Ａ方向側）には、キャビネット１の前後方向（Ａ方向またはＢ方向）の回動範囲内（本実施形態では、角度α１＋角度α２＝１２．５度）において、リブ部１３ｂを凹部３１のリブ部１３ｂに対応する下面部分３１ａに嵌め込むことにより、キャビネット１と台座部材３との間に形成される水平方向（Ｘ方向またはＹ方向）の隙間を塞ぐように構成し、キャビネット１の後傾時（Ｂ方向側）には、キャビネット１の前後方向（Ａ方向またはＢ方向）の回動範囲内（本実施形態では、角度α１＋角度α２＝１２．５度）において、リブ部１３ｂの先端部を凹部３１のリブ部１３ｂの下面部分３１ａの近傍に位置させることにより、キャビネット１と台座部材３との間に形成される水平方向（Ｘ方向またはＹ方向）の隙間を実質的に塞ぐように構成することによって、キャビネット１の底部１ｃよりも上方にキャビネット１の回動中心Ｃが位置する場合にも、ユーザがキャビネット１を台座部材３に対して後方向（Ｂ方向）に回動させた際に、リブ部１３ｂ先端部と凹部３１のリブ部１３ｂ側の下縁部近傍との間に実質的に隙間が形成されるのを容易に抑制することができる。
【００３８】
また、本実施形態では、上記のように、キャビネット１のリブ部１３ｂを、キャビネット１の底部１ｃ近傍に円弧形状に形成し、台座部材３の凹部３１のリブ部１３ｂに対応する下面部分３１ａを、円弧形状に形成することによって、キャビネット１を台座部材３に対して回動させた際に、リブ部１３ｂとリブ部１３ｂに対応する下面部分３１ａとが所定の間隔を隔てた状態で、リブ部１３ｂを凹部３１のリブ部１３ｂに対応する下面部分３１ａに対して滑らかに回動させることができる。
【００３９】
また、本実施形態では、上記のように、リブ部１３ｂと凹部３１のリブ部１３ｂに対応する下面部分３１ａとを、キャビネット１の前後方向（Ａ方向またはＢ方向）の回動範囲内（本実施形態では、角度α１＋角度α２＝１２．５度）において、接触しないように構成することによって、リブ部１３ｂと凹部３１のリブ部１３ｂに対応する下面部分３１ａとが接触している場合に比べ、リブ部１３ｂと凹部３１のリブ部１３ｂに対応する下面部分３１ａとの間に摩擦抵抗が発生するのを抑制することができるので、リブ部１３ｂを凹部３１のリブ部１３ｂに対応する下面部分３１ａに対して滑らかに回動させることができる。
【００４０】
また、本実施形態では、上記のように、リブ部１４ｂを、キャビネット１の前後方向（Ａ方向またはＢ方向）の回動範囲内（本実施形態では、角度α１＋角度α２＝１２．５度）において凹部３１の側方（Ｘ方向）に形成される隙間を塞ぐように構成することによって、ユーザがキャビネット１を前後方向（Ａ方向またはＢ方向）に回動させた際に、凹部３１の下面部分３１ａとリブ部１３ｂとの間のみならず、凹部３１の側方（Ｘ方向）にも隙間が形成されなくなる。これにより、ユーザがキャビネット１を前後方向（Ａ方向またはＢ方向）に回動させた際に凹部３１の側方（Ｘ方向）に形成される隙間に指を挟んでしまうのを抑制することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、本発明の表示装置の一例としての液晶テレビジョン装置に凸部および凹部を設ける例を示したが、本発明はこれに限らず、有機ＥＬ表示装置やプラズマパネルディスプレイなどの液晶テレビジョン装置以外の表示装置に凸部および凹部を設けてもよい。
【００４３】
また、上記実施形態では、本発明の一例として、筐体が凸部を有するとともに台座部材が凹部を有するように構成する例を示したが、本発明はこれに限らず、筐体が凹部を有するとともに台座部材が凸部を有するように構成してもよい。
【００４４】
また、上記実施形態では、本発明の一例として、凸部をリブ部により構成する例を示したが、本発明はこれに限らず、凸部をリブ部以外の部分により構成するとともにその凸部を構成する部分が凹部に嵌まり込むように構成してもよい。
【００４５】
また、上記実施形態では、本発明の一例として、凸部を筐体と一体的に形成する例を示したが、本発明はこれに限らず、凸部を筐体と別体で設けることにより構成することも可能である。
【００４６】
また、上記実施形態では、本発明の一例として、筐体が約１２．５度（約１０度後傾および約２．５度前傾）の角度範囲で回動する例を示したが、本発明はこれに限らず、筐体が約１２．５度（約１０度後傾および約２．５度前傾）以外の角度範囲で回動させてもよい。
【図面の簡単な説明】
【００４７】
【図１】本発明の一実施形態による液晶テレビジョン装置の全体構成を示した斜視図である。
【図２】本発明の一実施形態による液晶テレビジョン装置の全体構成を示した斜視図である。
【図３】本発明の一実施形態による液晶テレビジョン装置のキャビネットを取り外した状態を示した斜視図である。
【図４】本発明の一実施形態による液晶テレビジョン装置の支持部材および台座部材を示した斜視図である。
【図５】本発明の一実施形態による液晶テレビジョン装置のキャビネットのリブ部を示した斜視図である。
【図６】本発明の一実施形態による液晶テレビジョン装置の台座部材を示した斜視図である。
【図７】本発明の一実施形態による液晶テレビジョン装置の支持部材および板金部材を示した斜視図である。
【図８】本発明の一実施形態による液晶テレビジョン装置の支持部材および板金部材を示した平面図である。
【図９】本発明の一実施形態による液晶テレビジョン装置の支持部材および板金部材を示した側面図である。
【図１０】本発明の一実施形態による液晶テレビジョン装置の回動動作を説明するための断面図である。
【図１１】本発明の一実施形態による液晶テレビジョン装置の回動動作を説明するための断面図である。
【図１２】本発明の一実施形態による液晶テレビジョン装置の回動動作を説明するための断面図である。
【図１３】本発明の一実施形態による液晶テレビジョン装置の回動動作を説明するための断面図である。
【図１４】本発明の一実施形態による液晶テレビジョン装置の回動動作を説明するための断面図である。
【図１５】本発明の一実施形態による液晶テレビジョン装置の回動動作を説明するための断面図である。
【符号の説明】
【００４８】
１      キャビネット（筐体）
２      表示部
３      台座部材
４      支持部材
１３ｂ  リブ部（凸部、第１リブ部）
１４ｂ  リブ部（凸部、第２リブ部）
３１    凹部
３１ａ  第１リブ部に対応する下面部分
１００  液晶テレビジョン装置（表示装置）
Ｃ      回動中心
【図１】
2009265218.tif 000003
【図２】
2009265218.tif 000004
【図３】
2009265218.tif 000005
【図４】
2009265218.tif 000006
【図５】
2009265218.tif 000007
【図６】
2009265218.tif 000008
【図７】
2009265218.tif 000009
【図８】
2009265218.tif 000010
【図９】
2009265218.tif 000011
【図１０】
2009265218.tif 000012
【図１１】
2009265218.tif 000013
【図１２】
2009265218.tif 000014
【図１３】
2009265218.tif 000015
【図１４】
2009265218.tif 000016
【図１５】
2009265218.tif 000017